(57)【要約】【課題】シンプルな構造を有し、卓球ラケットに着脱自在に容易に取り付け可能な、卓球ラケットの素振りトレーニング用の吸盤を提供する。【解決手段】吸盤１は、吸着面をなす皿状の吸着部２と、吸着部２の中央から吸着面の反対側に突出し、突出方向に垂直な方向に貫通孔３ａを有する突出部３と、貫通孔３ａに着脱自在に装着される重み部材４とからなる。この吸盤１は、吸着部２が卓球ラケットの打球面に吸着された状態で使用される。【選択図】図１
0003153023.tif 000002
【実用新案登録請求の範囲】
【請求項１】
卓球ラケットの素振りトレーニング用の吸盤であって、
吸着面をなす皿状の吸着部と、
前記吸着部の中央から前記吸着面の反対側に突出し、突出方向に垂直な方向に貫通孔を有する突出部と、
前記貫通孔に着脱自在に装着される重み部材と、からなり、
前記吸着部が前記卓球ラケットの打球面に吸着された状態で、使用されることを特徴とする吸盤。
【請求項２】
前記打球面は、卓球ラケットのラバーの表面または該ラバーに貼り付けられた粘着保護シート表面であることを特徴とする請求項１に記載の吸盤。
【請求項３】
前記重み部材は、互いに一体に接続される第１部品と第２部品からなり、
前記第１部品は、一端に前記貫通孔の径より大きな径を有する円柱形の頭部と、前記頭部から他端側にのび、前記貫通孔の径より小さな径を有する円柱形の軸部とから構成され、前記軸部の一部領域にはネジ溝を有する雄ネジ部が形成され、
前記第２部品は、前記雄ネジ部に螺合する雌ネジ部を有することを特徴とする請求項１または２に記載の吸盤。
【請求項４】
前記重み部材の重さは、３ｇ〜１０ｇの範囲にあることを特徴とする請求項１に記載の吸盤。
【請求項５】
前記重み部材の材質は、真鍮であることを特徴とする請求項１に記載の吸盤。
【考案の詳細な説明】
【技術分野】
【０００１】
本考案は、卓球ラケットの素振りトレーニング用に使用される吸盤に関する。
【背景技術】
【０００２】
従来から、卓球ラケットに負荷をかけた状態で、卓球ラケットの素振りのトレーニングをするための用具として、例えば、卓球ラケットに取り付け可能なトレーニング用ウェイトが知られている（例えば特許文献１参照）。
【０００３】
このトレーニング用ウェイトは、ウェイト本体が、卓球ラケットの打球部（ピンポン球を打つ部分）の外周面に設けられた一対の位置決め部と抑え部材によって、卓球ラケットのグリップ近傍に着脱自在に取り付けられるように、構成されている。
【０００４】
しかし、このトレーニング用ウェイトによれば、卓球ラケットにウェイト本体、一対の位置決め部および抑え部材といった多くの複雑な構成部品を取り付けなければならないため、その取り付けに非常に手間がかかるという問題がある。
【先行技術文献】
【特許文献】
【０００５】
【特許文献１】特開２００６−３２０６６５号
【考案の概要】
【考案が解決しようとする課題】
【０００６】
本考案は、シンプルな構造を有し、卓球ラケットに着脱自在に容易に取り付け可能な、卓球ラケットの素振りトレーニング用の吸盤を提供する。
【課題を解決するための手段】
【０００７】
上記課題を解決するため、本考案は、卓球ラケットの素振りトレーニング用の吸盤であって、吸着面をなす皿状の吸着部と、前記吸着部の中央から前記吸着面の反対側に突出し、突出方向に垂直な方向に貫通孔を有する突出部と、前記貫通孔に着脱自在に装着される重み部材とからなり、前記吸着部が前記卓球ラケットの打球面に吸着された状態で、使用されることを特徴とする吸盤としたものである。
【０００８】
上記構成において、前記打球面は、卓球ラケットのラバーの表面または該ラバーに貼り付けられた粘着保護シート表面であることが好ましい。
【０００９】
また、上記構成において、前記重み部材は、互いに一体に接続される第１部品と第２部品からなり、前記第１部品は、一端に前記貫通孔の径より大きな径を有する円柱形の頭部と、前記頭部から他端側にのび、前記貫通孔の径より小さな径を有する円柱形の軸部とから構成され、前記軸部の一部領域にはネジ溝を有する雄ネジ部が形成され、前記第２部品は、前記雄ネジ部に螺合する雌ネジ部を有することが好ましい。
【００１０】
また、上記構成において、前記重み部材の重さは、３ｇ〜１０ｇの範囲にあることが好ましい。
【００１１】
また、上記構成において、前記重み部材の材質は、真鍮からなることが好ましい。
【考案の効果】
【００１２】
本考案によれば、重み部材を装着した吸盤の吸着部を、卓球ラケットの打球面に吸着させるように構成した。したがって、誰でも容易に、このシンプルな構造の吸盤を、卓球ラケットの打球面の様々な位置に着脱可能に取り付けることができる。また、この吸盤を卓球ラケットに取り付けることで、該卓球ラケットに負荷をかけた状態とすることができるので、卓球ラケットの素振りレーニングにおいて、パワーとスピードが養われた、安定した正しいフォームを身につけることができる。
【図面の簡単な説明】
【００１３】
【図１】本考案の１実施例による吸盤の構造を説明するための説明図であり、（ａ）は重み部材が取り付けられる状態を示す吸盤の斜視図、（ｂ）は（ａ）の右側面図、（ｃ）は（ａ）の上面図である。
【図２】（ａ）は図１の吸盤をシェイクハンド型卓球ラケットに装着した状態を示す斜視図、（ｂ）は（ａ）を矢印線Ａからみた場合の拡大側面図である。
【図３】図１の吸盤をシェイクハンド型卓球ラケットに装着した状態での素振りトレーニングの説明図である。
【図４】図１の吸盤をペンハンド型卓球ラケットに装着した状態を示す説明図であり、（ａ）は、大きな負荷をかけて素振りトレーニングをする場合の、吸盤の該ラケットへの取り付け状態を示す斜視図、（ｂ）は、小さな負荷をかけて素振りトレーニングをする場合の、吸盤の該ラケットへの取り付け状態を示す斜視図である。
【考案を実施するための形態】
【００１４】
以下、本考案の好ましい実施例について図面を参照しながら説明する。
【００１５】
（実施例）
図１は、本考案の１実施例による吸盤の構造を説明するための説明図である。
図１（ａ）〜（ｃ）に示すように、本考案に係る吸盤１は、吸着部２、突出部３および重み部材４を備える。
【００１６】
吸着部２は、弾性材料からなり、吸着面をなす皿状の構造を有している。
突出部３は、弾性材料からなり、吸着部２の中央から吸着面の反対側に突出し、突出方向に垂直な方向に貫通孔３ａを有する。
【００１７】
重み部材４は、突出部３の貫通孔３ａに着脱自在に装着される。図１（ａ）に示すように、重み部材４は、互いに一体に接続される第１部品５と第２部品６からなる。
第１部品５は、その一端側にある頭部５ａと、他端側にある軸部５ｂとから構成される。頭部５ａは円柱形状であって、その径は突出部３の貫通孔３ａの径より大きくなっている。また、軸部５ｂは、円柱形状であって、頭部５ａから他端側にのびている。軸部５ｂの径は、突出部３の貫通孔３ａの径より若干小さくなっている。軸部５ｂの先端の一部領域には、ネジ溝を有する雄ネジ部５ｃが形成されている。
第２部品６は、円筒形状であって、雄ネジ部５ｃに螺合する雌ネジ部６ａを有する。
【００１８】
次に、この重み部材４（第１部品５および第２部品６）の貫通孔３ａへの装着方法および貫通孔３ａからの取り外し方法について簡単に説明する。
【００１９】
図１（ａ）に示すように、まず、第１部品５の軸部５ｂを、突出部３の貫通孔３ａの一方の開口に挿入する。そして、突出部３の貫通孔３ａの他方の開口から突出した軸部５ｂの雄ネジ部５ｃを、第２部品６の雌ネジ部６ａと螺合させる。これにより、第１部品５と第２部品６は、一体に接続されて吸盤１に取り付けられた状態となる。
一体に接続された第１部品５と第２部品６を貫通孔３ａから取り外すには、上記の逆の手順を実行すればよい。
【００２０】
次に、図２および３を参照して、本考案の吸盤の使用方法および該吸盤を用いた卓球ラケットの素振りトレーニング方法について簡単に説明する。
【００２１】
まず、重み部材４が取り付けられた吸盤１と、公知のシェイクハンド型卓球ラケット８と、粘着保護シート８ｂを準備する。
シェイクハンド型卓球ラケット８は、木製のラケット本体８ｃと、このラケット本体８ｃの両面に貼り付けられたラバー８ａを備えている。ここで、ラバー８ａの表面は滑らかに形成されているのが好ましい。また、粘着保護シート８ｂは、このラバー８ａの表面に貼り付けられ、一時的に該ラバー８ａを保護するためのものである。
【００２２】
次に、シェイクハンド型卓球ラケット８のラバー８ａの表面に、粘着保護シート８ｂを貼り付ける。
【００２３】
そして、吸盤１の吸着部２を粘着保護シート８ｂの表面に吸着させる。
次に、図３に示すように、プレイヤーＰは、シェイクハンド型卓球ラケット８を持って、吸盤１が該ラケット８のピンポン球を打つ打球面（粘着保護シート８ｂの表面）に貼り付けられた状態で、卓球ラケットの素振りを行なう。
【００２４】
吸盤１は重み部材４によって一定量の重みを有するので、卓球ラケットの素振りレーニングにおいて、パワーとスピードが養われた、安定した正しいフォームを身につけることができる。また、試合に用いる実際の卓球ラケットに吸盤１を取り付けることができるので、より実践形式に近い素振りトレーニングを行うことができる。
【００２５】
卓球ラケットの素振りレーニングの終了後は、吸盤１のつまみ部７をつまんで、シェイクハンド型卓球ラケット８の粘着保護シート８ｂの表面から該吸盤１を取り外せばよい。
【００２６】
以上、本考案の好ましい実施形態を説明したが、本考案の構成はこれらの実施形態に限定されるものではない。
【００２７】
例えば、上記実施例において、吸盤１をシェイクハンド型卓球ラケットの打球面に取り付けた例を示したが、吸盤１を公知のペンハンド型卓球ラケットの打球面に取り付けるようにしてもよい。また、複数の吸盤１を卓球ラケットの打球面に取り付けるようにしてもよい。また、卓球ラケットがシェイクハンド型卓球ラケットの場合には、複数の吸盤１を該シェイクハンド型卓球ラケットの両面の打球面のそれぞれに取り付けるようにしてもよい。
【００２８】
また、図２および図３において、吸盤１の吸着部２を、卓球ラケットの打球面（粘着保護シート８ｂの表面）の中央位置に吸着させた例を示したが、その吸着位置は何ら限定されるものではない。
例えば、図４（ａ）に示すように、吸盤１の吸着部２を、打球面（粘着保護シート９ｂの表面）のグリップ９ｄから遠い位置に吸着させてもよい。この場合、吸盤１の重心が、グリップ９ｄから離れているので、プレイヤーの腕に大きな負荷をかけた素振りトレーニングをすることができる。
あるいは、図４（ｂ）に示すように、吸盤１の吸着部２を、打球面（粘着保護シート９ｂの表面）のグリップ９ｄから近い位置に吸着させてもよい。この場合、吸盤１の重心が、グリップ９ｄに近くなるので、プレイヤーの腕に小さな負荷をかけた素振りトレーニングをすることができる。
【００２９】
さらに、図２および図３において、吸盤１の吸着部２を、粘着保護シート８ｂの表面に吸着させた例を示したが、卓球ラケットのラバー表面に直接吸着させてもよい。
【００３０】
また、吸盤１の重み部材４として、第１部品５および第２部品６で構成したが、吸盤１の貫通孔３ａに取り付けられるものであれば、その構成は何ら限定されるものではない。
また、吸盤１の重み部材４の重さは、任意とすることができるが、３ｇ〜１０ｇの範囲にあることが好ましい。この重さの範囲であれば、プレイヤーの身体に負担をかけることなく、卓球の素振りトレーニングを行うことができる。
さらに、吸盤１の重み部材４の材質は、真鍮であることが好ましいが、これに限定されるものではなく、金属、プラスチックなどからなっていてもよい。
【符号の説明】
【００３１】
１  吸盤
２  吸着部
３  突出部
３ａ  貫通孔
４  重み部材
５  第１部品
５ａ  頭部
５ｂ  軸部
５ｃ  雄ネジ部
６  第２部品
６ａ  雌ネジ部
７  つまみ部
８  卓球ラケット（シェイクハンド型卓球ラケット）
８ａ  ラバー
８ｂ  粘着保護シート
８ｃ  ラケット本体
８ｄ  グリップ
９  卓球ラケット（ペンハンド型卓球ラケット）
９ａ  ラバー
９ｂ  粘着保護シート
９ｃ  ラケット本体
９ｄ  グリップ
Ｐ  プレイヤー
【図１】
0003153023.tif 000003
【図２】
0003153023.tif 000004
【図３】
0003153023.tif 000005
【図４】
0003153023.tif 000006